(57)【要約】【課題】周辺機器の端子台への配線時等に端子台カバーの置き場所に困ったりすることがなくなるうえ、端子台カバーの紛失や落下による破損を防止できるガスメータを提供する。【解決手段】本体ケース１０、２０に内蔵されたプリント基板１０６、２０６上に実装され、周辺機器との電気接続に利用される、本体ケースから露呈する端子台１０７、２０７と、端子台１０７、２０７の前方を覆うように本体ケース１０、２０に覆設される端子台カバー１１、２１と、を備えた電子式のガスメータ１、２であって、十字溝１０８及びＴ字突起１１８又はクランク機構を利用して、端子台カバー１１、２１の一部が本体ケース１０、２０側に固定された状態で、端子台カバー１１、を開閉可能にしている。【選択図】図１
2005345352.tif 000002
【特許請求の範囲】
【請求項１】
本体ケースに内蔵されたプリント基板上に実装され、周辺機器との電気接続に利用される、前記本体ケースから露呈する端子台と、
前記端子台の前方を覆うように前記本体ケースに覆設される端子台カバーと、
を備えた電子式のガスメータであって、
前記端子台カバーの一部が前記本体ケース側に固定された状態で、前記端子台カバーを開閉可能にした、
ことを特徴とするガスメータ。
【請求項２】
請求項１記載のガスメータにおいて、
前記本体ケースの前記端子台の側方に穿設された、前記本体ケースの長手方向に延びるスリット状の長穴溝部及びこの長穴溝部に交差し前記長穴溝部の交差方向に延びるスリット状の取付溝部で構成される十字溝と、
前記端子台カバーの裏面の前記十字溝に対応する箇所に突設された、前記長穴溝部に交差し前記取付溝部に対応する形状の横棒部及びこの横棒部を支持する柱部で構成されるＴ字突起と、
を備えたことを特徴とするガスメータ。
【請求項３】
請求項１記載のガスメータにおいて、
前記本体ケースの前記端子台の側方及び前記端子台カバーの裏面において互いに対応する位置に固設されたクランク軸受と、
前記本体ケース及び前記端子台カバーの両クランク軸受を連結するクランクアームと、
を備えたことを特徴とするガスメータ。
【発明の詳細な説明】
【技術分野】
【０００１】
本発明は、端子台の前方を覆うように本体ケースに覆設される端子台カバーを備えた電子式のガスメータに関する。
【背景技術】
【０００２】
近年、マイコンを内蔵してガス使用量を計算して表示したり、ガス漏れ等に対する保安処理等をする電子式のガスメータが普及している。そして、この種のガスメータは、通常、ガスメータと各種周辺機器との電気接続に利用される端子台を備えている。図５は、この種の従来のガスメータの正面図である。
【０００３】
図５に示すように、ガスメータ９は、箱形の本体ケース９０と、端子台９０７の前方を覆うように本体ケース９０に覆設される端子台カバー９１と、を備えている。ガスメータ９は、図示しない各種電子機器、検出素子、流路遮断装置、電池等を内蔵している。
【０００４】
本体ケース９０の上面には、ガス供給源に接続される円筒状の流入口９０１、ガス消費源に接続される円筒状の流出口９０２が設けられている。本体ケース９０の前面の中央部やや上方には、ガス使用量等をディジタル表示する表示部９０３が設けられている。
【０００５】
本体ケース９０の前面の表示部９０３の下方には、端子台開口部９０５が設けられている。この端子台開口部９０５からは、端子台９０７が露呈している。この端子台９０７は、ガスメータと各種周辺機器との電気接続に利用される端子群であり、プリント基板９０６上に実装されている。端子台開口部９０５の周辺部には、端子台カバー９１の形状に対応して、長方形浅皿状に掘り下げられた端子台カバー覆設部９０４が形成されている。
【０００６】
端子台９０７は、マイクロコンピュータ等の電子機器と同様にプリント基板９０６上に実装されているため、これらを雨水等から保護するために、端子台カバー９１が覆設される。端子台カバー９１は、長方形板状をしており、端子台９０７の前方を覆うように、本体ケース９０の端子台カバー覆設部９０４に覆設される。覆設後には、端子台カバー９１のネジ穴９１ａ、９１ｂを介して、本体ケース９０のネジ受９０４ａ、９０４ｂにネジ（不図示）を螺合させて、端子台カバー９１が本体ケース９０に固定される。
【発明の開示】
【発明が解決しようとする課題】
【０００７】
ところが、上述のように、従来のガスメータは、端子台カバー９１が本体ケース９０から完全に分離できるようになっている。このため、周辺機器等の端子台カバー９１への配線作業時に、端子台カバーの置き場所に困ったり、端子台カバーの紛失や落下による破損等が発生することがあった。また、単に、ネジ止めにより、端子台カバー９１を固定しているだけなので、いたずらで端子台カバーが外されて持っていかれることもあった。
【０００８】
よって本発明は、上述した現状に鑑み、周辺機器の端子台への配線時等に端子台カバーの置き場所に困ったりすることがなくなるうえ、端子台カバーの紛失や落下による破損を防止できるガスメータを提供することを課題としている。また、いたずらで端子台カバーが外されて持っていかれることも防止できるガスメータを提供することを課題としている。
【課題を解決するための手段】
【０００９】
上記課題を解決するためになされた請求項１記載のガスメータは、本体ケースに内蔵されたプリント基板上に実装され、周辺機器との電気接続に利用される、前記本体ケースから露呈する端子台と、前記端子台の前方を覆うように前記本体ケースに覆設される端子台カバーと、を備えた電子式のガスメータであって、前記端子台カバーの一部が前記本体ケース側に固定された状態で、前記端子台カバーを開閉可能にした、ことを特徴とする。
【００１０】
請求項１記載の発明によれば、端子台の前方を覆うように本体ケースに覆設される端子台カバーの一部が本体ケース側に固定された状態で、端子台カバーが開閉可能になっている。
【００１１】
上記課題を解決するためになされた請求項２記載のガスメータは、請求項１記載のガスメータにおいて、前記本体ケースの前記端子台の側方に穿設された、前記本体ケースの長手方向に延びるスリット状の長穴溝部及びこの長穴溝部に交差し前記長穴溝部の交差方向に延びるスリット状の取付溝部で構成される十字溝と、前記端子台カバーの裏面の前記十字溝に対応する箇所に突設された、前記長穴溝部に交差し前記取付溝部に対応する形状の横棒部及びこの横棒部を支持する柱部で構成されるＴ字突起と、を備えたことを特徴とする。
【００１２】
請求項２記載の発明によれば、本体ケースにおける取付溝部に、端子台カバーにおける横棒部がはめ込まれて、端子台カバーの一部が本体ケースに取り付けられる。そして、取り付け後には、横棒部が取付溝部に交差しているので、端子台カバーが本体ケースから外れることなく、端子台カバーが開閉可能になる。
【００１３】
上記課題を解決するためになされた請求項３記載のガスメータは、請求項１記載のガスメータにおいて、前記本体ケースの前記端子台の側方及び前記端子台カバーの裏面において互いに対応する位置に固設されたクランク軸受と、前記本体ケース及び前記端子台カバーの両クランク軸受を連結するクランクアームと、を備えたことを特徴とする。
【００１４】
請求項３記載の発明によれば、本体ケース及び端子台カバーにおいて互いに対応する位置に固設された両クランク軸受を連結するクランクアームにて、端子台カバーが本体ケースから外れることなく、端子台カバーが開閉可能になる。
【発明の効果】
【００１５】
請求項１記載の発明によれば、端子台の前方を覆うように本体ケースに覆設される端子台カバーの一部が本体ケース側に固定された状態で、端子台カバーが開閉可能になっている。したがって、周辺機器の端子台への配線時等に端子台カバーの置き場所に困ったりすることがなくなるうえ、端子台カバーの紛失や落下による破損を防止できる。また、いたずらで端子台カバーが外されて持っていかれることも防止できる。
【００１６】
請求項２記載の発明によれば、本体ケースにおける取付溝部に、端子台カバーにおける横棒部がはめ込まれて、端子台カバーの一部が本体ケースに取り付けられる。そして、取り付け後には、横棒部が取付溝部に交差しているので、端子台カバーが本体ケースから外れることなく、端子台カバーが開閉可能になる。したがって、端子台カバーの取り付けが容易でありながら、取り付け後には、端子台カバーの紛失や落下による破損を防止したり、いたずらで端子台カバーが外されて持っていかれることを防止できる。
【００１７】
請求項３記載の発明によれば、本体ケース及び端子台カバーにおいて互いに対応する位置に固設された両クランク軸受を連結するクランクアームにて、端子台カバーが本体ケースから外れることなく、端子台カバーが開閉可能になる。したがって、簡易でありながら強固な機構で、端子台カバーの紛失や落下による破損を防止したり、いたずらで端子台カバーが外されて持っていかれることを防止できる。
【発明を実施するための最良の形態】
【００１８】
以下、本発明の実施の形態を図面に基づいて説明する。図１及び図２は本発明の第１実施形態に関し、図３及び図４は本発明の第２実施形態に関する。
【００１９】
[第１実施形態]
図１は、本発明の第１実施形態に係るガスメータの正面図である。図２（Ａ）は図１のガスメータの底面図であり、図２（Ｂ）は図２（Ａ）におけるＸ部拡大図である。
【００２０】
図１に示すように、ガスメータ１は、箱形の本体ケース１０と、端子台１０７の前方を覆うように本体ケース１０に覆設される端子台カバー１１と、を備えている。本体ケース１０は、詳しくは、フロントカバー、リアカバー、アンダーカバー等から構成されるが、ここでは、本体ケース１０は、これらを包括するものとする。ガスメータ１は、図示しない各種電子機器、検出素子、流路遮断装置、電池等を内蔵している。
【００２１】
本体ケース１０の上面には、ガス供給源に接続される円筒状の流入口１０１、ガス消費源に接続される円筒状の流出口１０２が設けられている。本体ケース１０の前面の中央部やや上方には、ガス使用量等をディジタル表示する表示部１０３が設けられている。表示部１０３は、例えば、周知の液晶表示器で構成される。通常、表示部１０３に隣設されるリセットスイッチはここでは省略している。
【００２２】
本体ケース１０の前面の表示部１０３の下方には、端子台開口部１０５が設けられている。この端子台開口部１０５からは、端子台１０７が露呈している。この端子台１０７は、ガスメータと各種周辺機器との電気接続に利用される端子群であり、プリント基板１０６上に実装されている。なお、プリント基板１０６上には、図示しないマイクロコンピュータ等の電子部品も実装されている。
【００２３】
端子台開口部１０５の周辺部、すなわち、本体ケース１０の前面の下半部には、端子台カバー１１の形状に対応して、長方形浅皿状に掘り下げられた端子台カバー覆設部１０４が形成されている。この端子台カバー覆設部１０４における端子台１０７の側方には、端子台カバー１１の開閉に利用される、十字溝１０８が穿設されている。この十字溝１０８は、詳しくは、本体ケース１０の長手方向に延びるスリット状の長穴溝部１０８ａ及びこの長穴溝部１０８ａに交差し長穴溝部１０８ａの交差方向に延びるスリット状の取付溝部１０８ｂから構成される。
【００２４】
一方、端子台カバー１１は、長方形板状をしており、端子台１０７の前方を覆うように、本体ケース１０（正確には、端子台カバー覆設部１０４）に開閉可能に覆設される。端子台カバー１１の裏面における上記十字溝１０８に対応する箇所には、端子台カバー１１の開閉に利用される、Ｔ字突起１１８が突設されている。このＴ字突起１１８は、詳しくは、上記長穴溝部１０８ａに交差し上記取付溝部１０８ｂに対応する形状の横棒部１１８ａ及びこの横棒部１１８ａを支持する柱部１１８ｂから構成される。なお、Ｔ字突起１１８が十字溝１０８にはめ込まれた後に、端子台カバー１１が本体ケース１０から外れないように、柱部１１８ｂから端子台カバー１１の縁部までの距離Ｗ２は、上記取付溝部１０８ｂから本体ケース１０の縁部までの距離Ｗ１より小さくなっている。
【００２５】
端子台カバー１１を本体ケース１０に取り付けるときには、端子台カバー１１における横棒部１１８ａを、本体ケース１０における取付溝部１０８ｂにはめ込む。はめ込んだ後は、端子台カバー１１を、本体ケース１０の縁部方向（図２中、右方向）にスライドさせる。そうすると、上述のように、距離Ｗ２は距離Ｗ１より小さくなっており、横棒部１１８ａが取付溝部１０８ｂに交差しているので、端子台カバー１１が本体ケース１０から外れることなく、端子台カバー１１が開閉可能になる。
【００２６】
補足すると、端子台カバー１１の閉時において、端子台カバー１１を本体ケース１０の端子台カバー覆設部１０４に密着させると、横棒部１１８ａは、図２（Ｂ）の１１８ａ′で示すように、開閉動作時よりも下方に下がることになる。このため、本体ケース１０の縁部近傍には、窪み１０９が設けられている。したがって、端子台カバー１１を本体ケース１０に密着させることができる。そして、端子台カバー１１のネジ穴１１ａ、１１ｂを介して、本体ケース１０のネジ受１０４ａ、１０４ｂ、にネジ（不図示）を螺合させて、端子台カバー１１を本体ケース１０に固定することができる。
【００２７】
一方、端子台カバー１１の開閉動作時には、上記ネジを取り外し、端子台カバー１１をやや持ち上げるようにする。そうすると、端子台カバー１１は、図２（Ａ）及び図２（Ｂ）の１１Ａ、１１Ｂ、１１Ｃに示すように、横棒部１１８ａがやや浮いたような状態で、この横棒部１１８ａを回転軸とするように、端子台カバー１１の開閉可能である。したがって、スムーズに、端子台カバー１１を開閉させることができる。そして、図２（Ａ）及び図２（Ｂ）の１１Ａに示すような状態に維持しつつ、端子台１０７に対する配線作業等を行うことができる。
【００２８】
このように第１実施形態によると、端子台カバー１１側の横棒部１１８ａが、本体ケース１０側の取付溝部１０８ａに交差しているので、端子台カバー１１が本体ケース１０から外れることなく、端子台カバー１１が開閉可能になる。したがって、端子台カバー１１の取り付けが容易でありながら、取り付け後には、端子台カバー１１の紛失や落下による破損を防止したり、いたずらで端子台カバー１１が外されて持っていかれることを防止できる。
【００２９】
[第２実施形態]
図３は、本発明の第２実施形態に係るガスメータの正面図である。図４（Ａ）は図３のガスメータの底面図であり、図４（Ｂ）は図４（Ａ）におけるＹ部拡大図である。
【００３０】
図３に示すように、ガスメータ２は、箱形の本体ケース２０と、端子台２０７の前方を覆うように本体ケース２０に覆設される端子台カバー２１と、を備えている。本体ケース２０は、詳しくは、フロントカバー、リアカバー、アンダーカバー等から構成されるが、ここでは、本体ケース２０は、これらを包括するものとする。ガスメータ２は、図示しない各種電子機器、検出素子、流路遮断装置、電池等を内蔵している。
【００３１】
本体ケース２０の上面には、ガス供給源に接続される円筒状の流入口２０１、ガス消費源に接続される円筒状の流出口２０２が設けられている。本体ケース２０の前面の中央部やや上方には、ガス使用量等をディジタル表示する表示部２０３が設けられている。表示部２０３は、例えば、周知の液晶表示器で構成される。通常、表示部２０３に隣設されるリセットスイッチはここでは省略している。
【００３２】
本体ケース２０の前面の表示部２０３の下方には、端子台開口部２０５が設けられている。この端子台開口部２０５からは、端子台２０７が露呈している。この端子台２０７は、ガスメータと各種周辺機器との電気接続に利用される端子群であり、プリント基板２０６上に実装されている。なお、プリント基板２０６上には、図示しないマイクロコンピュータ等の電子部品も実装されている。
【００３３】
端子台開口部２０５の周辺部には、端子台カバー２１の形状に対応して、長方形浅皿状に掘り下げられた端子台カバー覆設部２０４が形成されている。この端子台カバー覆設部２０４における端子台２０７の側方には、端子台カバー２１の開閉に利用される、クランク機構の一部を構成するクランク軸受２０９が取り付けられている。なお、クランクアーム２０８を、便宜上、本体ケース２０側に記載している。
【００３４】
一方、端子台カバー２１は、長方形板状をしており、端子台２０７の前方を覆うように、本体ケース２０（正確には、端子台カバー覆設部２０４）に開閉可能に覆設される。端子台カバー２１の裏面における上記クランク軸受２０９に対応する箇所には、端子台カバー２１の開閉に利用される、クランク機構の一部を構成するクランク軸受２１９が取り付けられている。クランク軸受２０９及びクランク軸受２１９は、クランクアーム２０８を介して連結されて、クランク機構を構成する。
【００３５】
補足すると、端子台カバー２１の閉時においては、図４（Ｂ）の２１Ｃで示すように、クランクアーム２０８を折り畳み、端子台カバー２１を本体ケース２０の端子台カバー覆設部２０４に密着させる。そして、端子台カバー２１のネジ穴２１ａ、２１ｂを介して、本体ケース２０のネジ受２０４ａ、２０４ｂ、にネジ（不図示）を螺合させて、端子台カバー２１を本体ケース２０に固定することができる。
【００３６】
一方、端子台カバー２１の開閉動作時には、上記ネジを取り外し、端子台カバー２１をやや持ち上げるようにする。そうすると、端子台カバー２１は、図４（Ａ）及び図４（Ｂ）の２１Ａ、２１Ｂに示すように、クランク機構により、本体ケース２０に固定されたままで開閉可能になる。そして、図４（Ａ）及び図４（Ｂ）の２１Ａに示すような状態に維持しつつ、端子台２０７に対する配線作業等を行うことができる。
【００３７】
このように第２実施形態によると、本体ケース２０及び端子台カバー２１をクランク機構により連結しているので、端子台カバー２１が本体ケース２０から外れることなく、端子台カバー２１が開閉可能になる。したがって、簡易でありながら強固な機構で、端子台カバー２１の紛失や落下による破損を防止したり、いたずらで端子台カバー２１が外されて持っていかれることを防止できる。
【００３８】
以上のように、本発明の実施形態によれば、端子台カバーの一部が本体ケース側に固定された状態で開閉可能になっているので、周辺機器の端子台への配線時等に端子台カバーの置き場所に困ったりすることがなくなるうえ、端子台カバーの紛失や落下による破損を防止できる。また、いたずらで端子台カバーが外されて持っていかれることも防止できる。
【図面の簡単な説明】
【００３９】
【図１】本発明の第１実施形態に係るガスメータの正面図である。
【図２】図２（Ａ）は図１のガスメータの底面図であり、図２（Ｂ）は図２（Ａ）におけるＸ部拡大図である。
【図３】本発明の第２実施形態に係るガスメータの正面図である。
【図４】図４（Ａ）は図３のガスメータの底面図であり、図４（Ｂ）は図４（Ａ）におけるＹ部拡大図である。
【図５】従来のガスメータの正面図である。
【符号の説明】
【００４０】
１、２  ガスメータ
１０、２０  本体ケース
１１、２１  端子台カバー
１０８  十字溝
１１８  Ｔ字突起
２０８  クランクアーム
２０９、２１９  クランク軸受
【図１】
2005345352.tif 000003
【図２】
2005345352.tif 000004
【図３】
2005345352.tif 000005
【図４】
2005345352.tif 000006
【図５】
2005345352.tif 000007